(57)【要約】【課題】風の影響を受けずにずれを確認できる、竪樋支持具及び竪樋支持具の設置方法を提供する。【解決手段】竪樋支持具１は、建物９の外壁に固定される固定部２、３と、固定部２、３の建物９の外方に設けられ竪樋８を支持する支持部４と、を備える。竪樋支持具１は、固定部２、３又は支持部４に設けられ上下方向に貫通し指向性を持った光が通過する検査用貫通孔６１を備えることを特徴とする。【選択図】図１
2015094152.tif 000002
【特許請求の範囲】
【請求項１】
建物の外壁に固定される固定部と、前記固定部の前記建物の外方に設けられ竪樋を支持する支持部と、前記固定部又は前記支持部に設けられ上下方向に貫通し指向性を持った光が通過する検査用貫通孔と、が備えられることを特徴とする竪樋支持具。
【請求項２】
前記固定部又は前記支持部から突出し前記検査用貫通孔を有する、検査部が備えられることを特徴とする請求項１記載の竪樋支持具。
【請求項３】
請求項１又は２記載の前記竪樋支持具を複数設置する竪樋支持具の設置方法であって、
前記竪樋支持具を前記建物の外壁に設置し、
次の前記竪樋支持具を前記建物の外壁に設置するとき、先の前記竪樋支持具の前記検査用貫通孔から指向性を持った前記光を通過させ、次の前記竪樋支持具の前記検査用貫通孔に前記光が通過するように次の前記竪樋支持具を設置し、
複数の前記竪樋支持具の全ての前記検査用貫通孔を前記光が通過するように、複数の前記竪樋支持具が前記建物の外壁に設置されることを特徴とする竪樋支持具の設置方法。
【発明の詳細な説明】
【技術分野】
【０００１】
本発明は、竪樋支持具、竪樋支持具の設置方法に関するものである。
【背景技術】
【０００２】
従来から、建物の外壁に固定される竪樋支持具と、竪樋に取付けられ竪樋支持具と結合する結合具と、を備えたものが知られている（例えば特許文献１参照）。
【先行技術文献】
【特許文献】
【０００３】
【特許文献１】特開２０１２−１３６９０５号公報
【発明の概要】
【発明が解決しようとする課題】
【０００４】
特許文献１に記載されている発明では、建物の外壁に固定された複数の竪樋支持具と、竪樋と押出成形により一体成形される結合具と、が結合することにより竪樋は建物の外壁に固定される。複数の竪樋支持具が建物の外壁に設置される際、前後左右のずれが生じないように、下げ振りが用いられていた。しかし、下げ振りでは、風の影響を受けてしまうため、前後左右にずれが生じないように複数の竪樋支持具を設置するのは困難であった。
【０００５】
本発明は上記従来の問題点に鑑みて発明したものであって、その目的とするところは、風の影響を受けずにずれを確認できる、竪樋支持具及び竪樋支持具の設置方法を提供することを課題とするものである。
【課題を解決するための手段】
【０００６】
上記課題を解決するために、本発明は、以下のような構成とする。
【０００７】
建物の外壁に固定される固定部と、前記固定部の前記建物の外方に設けられ竪樋を支持する支持部と、前記固定部又は前記支持部に設けられ上下方向に貫通し指向性を持った光が通過する検査用貫通孔と、が備えられることを特徴とする。
【０００８】
また、前記固定部又は前記支持部から突出し前記検査用貫通孔を有する、検査部が備えられることが好ましい。
【０００９】
前記竪樋支持具を複数設置する竪樋支持具の設置方法であって、前記竪樋支持具を前記建物の外壁に設置し、次の前記竪樋支持具を前記建物の外壁に設置するとき、先の前記竪樋支持具の前記検査用貫通孔から指向性を持った前記光を通過させ、次の前記竪樋支持具の前記検査用貫通孔に前記光が通過するように次の前記竪樋支持具を設置し、複数の前記竪樋支持具の全ての前記検査用貫通孔を前記光が通過するように、複数の前記竪樋支持具が前記建物の外壁に設置されることを特徴とする。
【発明の効果】
【００１０】
本発明の竪樋支持具は、検査用貫通孔に指向性を持った光を通過させることで、風の影響を受けずに複数の竪樋支持具が上下方向に一列に設置されているかを確認できる。
【００１１】
本発明の竪樋支持具の設置方法は、建物の外壁に設置される複数の竪樋支持具が、前後左右にずれることなく、上下方向に一列に設置することができる。
【図面の簡単な説明】
【００１２】
【図１】第一の実施形態の竪樋支持具の斜視図である。
【図２】第一の実施形態の竪樋支持具の、（ａ）は平面図であり、（ｂ）は側面図である。
【図３】第一の実施形態の竪樋支持具を結合具に取付けた斜視図である。
【図４】第一の実施形態の竪樋支持具を結合具に取付けた側面図である。
【図５】第二の実施形態の竪樋支持具の斜視図である。
【図６】第二の実施形態の竪樋支持具の、（ａ）は平面図であり、（ｂ）は正面図である。
【図７】第二の実施形態の竪樋支持具を結合具に取付けた斜視図である。
【図８】第二の実施形態の竪樋支持具を結合具に取付けた側面図である。
【図９】第二の実施形態の竪樋支持具に検査部を設けた斜視図である。
【発明を実施するための形態】
【００１３】
以下、本発明の第一の実施形態について図１乃至図４に基づいて説明する。
【００１４】
本実施形態の説明では、建物９の外方を前方とし、建物９の内方を後方とし、建物９から竪樋８を視たときを基準として、左方向と右方向を定める。
【００１５】
竪樋８は、呼び樋（図示せず）と連通するエルボ（図示せず）と排水部（図示せず）との間に配設される。竪樋支持具１は、竪樋８が風等の外力によりエルボと排水部との間から外れないように竪樋８を固定する。
【００１６】
竪樋支持具１は、本実施形態では、図４に示すように、建物９の外壁に固定される固定部２と、固定部２の前方に設けられ竪樋８を支持する支持部４と、を備える。また、竪樋支持具１は、固定部２又は支持部４に設けられ上下方向に貫通し指向性を持った光が貫通する検査用貫通孔６１を備える。
【００１７】
固定部２は、本実施形態では、図１に示すように、円柱状となっているが、その形状は限定されない。固定部２の支持部４側端部は、支持部４の固定部２側端面に行く程径方向外側に位置するように湾曲している。固定部２が上記した湾曲を有することにより、固定部２と支持部４とが強固に一体とすることができる。
【００１８】
支持部４は、本実施形態では、図１及び図２（ａ）に示すように、後方に設けられる基部４１を有する。基部４１の前方の端面から固定部２の後端部にかけて、穴が設けられる。なお、穴の形状は限定されない。前記穴の底には、竪樋支持具１を建物９の外壁に固定するための固定具７２の頭部が当接する台座部４１ａが設けられる。なお、固定具７２は螺子や釘等が考えられるが、特に限定されない。台座部４１ａは、本実施形態では、前方に開口を有する円柱状の穴となっているが、形状は限定されない。
【００１９】
支持部４は、本実施形態では、図１及び図２（ａ）に示すように、基部４１の左右方向の両端部から前方に向けて突出する一対の引掛け部４２を有する。支持部４は、本実施形態では、引掛け部４２の前方の端部から引掛け部４２が対向する方向に突出する爪４２ａを有する。
【００２０】
支持部４は、本実施形態では、基部４１の左右方向の中間部から前方に向けて突出する突出部４３を有する。
【００２１】
突出部４３は、本実施形態では、図２（ａ）に示すように、平面視Ｔ字状となっているが、形状は限定されない。突出部４３は、本実施形態では、後方に設けられる基台部４３ａと、前方に設けられる先端部４３ｂと、を有する。先端部４３ｂは、本実施形態では、基台部４３ａの中間部から、前方に向かって突出して設けられる。
【００２２】
突出部４３は、本実施形態では、図２（ｂ）に示すように、上側部と下側部に分かれて設けられる。突出部４３の上側部と下側部との間には、本実施形態では、台座部４１ａが設けられる。
【００２３】
竪樋支持具１は、本実施形態では、図２（ａ）に示すように、固定部２の後側端部を貫通し固定具７２が挿通する挿通孔２１を備える。
【００２４】
挿通孔２１は、本実施形態では、台座部４１ａの中心から固定部２の後側の端面の中心にかけて、固定部２を貫通して設けられる。なお、挿通孔２１が設けられる場所は限定されない。
【００２５】
検査用貫通孔６１は、本実施形態では、図１乃至図３に示すように、基部４１の右側端部に設けられるが、検査用貫通孔６１が設けられる場所は限定されない。検査用貫通孔６１は、本実施形態の場合、支持部４と固定部２が共に前後左右方向に幅を有しているので、支持部４と固定部２のどちらにでも設けることができる。
【００２６】
検査用貫通孔６１は、本実施形態では、丸孔となっているが、検査用貫通孔６１の形状は限定されない。また、検査用貫通孔６１の直径は約φ１．０〜３．０ｍｍである。
【００２７】
検査用貫通孔６１は、本実施形態では、上下方向に貫通する貫通孔となり、指向性を持った光が通過する。光は、本実施形態では、レーザーを想定しているが、散乱し難い光であればレーザーでなくとも良い。
【００２８】
結合具５は、本実施形態では、図３、図４に示すように、竪樋８に取付けられる結合具本体５１と、結合具本体５１の左右方向の両端部に設けられ竪樋支持具１に引掛けられる被引掛け部５２と、を備える。
【００２９】
結合具本体５１は、本実施形態では、図３に示すように、竪樋８に取付けられる端面とは反対側の端面に後方向に開口を有する挿入溝５３を備える。挿入溝５３には、竪樋支持具１の突出部４３が挿入される。
【００３０】
被引掛け部５２は、本実施形態では、結合具本体５１の左右方向の側端面の後側の端部から、挿入溝５３の側壁が対向する方向とは逆方向に突出する。被引掛け部５２の後側端面は、本実施形態では、結合具本体５１側の端部から結合具本体５１側とは反対側の端部に行く程前方に位置するように傾斜する。被引掛け部５２と竪樋８との間には、図４に示すように、爪４２ａが挿入される隙間５４が形成される。
【００３１】
結合具５は、本実施形態では、図３及び図４に示すように、結合具本体５１の上端から連設される上側抜け止め部５５と、結合具本体５１の下端から連設される下側抜け止め部５６と、を備える。なお、上側抜け止め部５５と下側抜け止め部５６は、設けられなくともよい。
【００３２】
上側抜け止め部５５は、結合具５と結合した竪樋支持具１が、被引掛け部５２の上端から抜け出ないように設けられる。上側抜け止め部５５の竪樋８が取付けられる側とは反対側の端面は、本実施形態では、図４に示すように、結合具本体５１側から上方に行く程竪樋８側に傾斜する。上側抜け止め部５５に前記傾斜が設けられることにより、結合具５の見栄えが良くなる。
【００３３】
下側抜け止め部５６は、結合具５と結合した竪樋支持具１が、被引掛け部５２の下端から抜け出ないように設けられる。下側抜け止め部５６の竪樋８が取付けられる側とは反対側の端面は、本実施形態では、図４に示すように、結合具本体５１側から下方に行く程竪樋８側に傾斜する。下側抜け止め部５６に前記傾斜が設けられることにより、結合具５の見栄えが良くなる。
【００３４】
上記した構成の結合具５と竪樋支持具１とで、竪樋８を建物９の外壁に固定する施工手順を示す。
【００３５】
作業者は、建物９の外壁に設置する複数の竪樋支持具１の内、任意の竪樋支持具１を建物９の外壁に設置する。作業者は、次の竪樋支持具１を建物９の外壁に設置するとき、先の竪樋支持具１の検査用貫通孔６１から光を通過させる。そして、作業者は、次の検査用貫通孔６１から光が通過するように次の竪樋支持具１を設置する。作業者は、複数の竪樋支持具１の全ての検査用貫通孔６１を光が通過するように、複数の竪樋支持具１を建物９の外壁に設置する。ここで、先の竪樋支持具１と次の竪樋支持具１が左右方向にずれていた場合、作業者は、次の支持具をそのずれを修正するために左右に移動させる。先の竪樋支持具１と次の竪樋支持具１が、建物９の外壁の不陸のために建物の内外方向にずれていた場合、作業者は、建物の内方向にずれている竪樋支持具１と建物９の外壁との間にスペーサを挿入する。そして、作業者は、建物の内方向にずれている竪樋支持具１の位置を建物の外方向にずれている竪樋支持具１の位置に合わせる。
【００３６】
作業者は、竪樋８に所定の間隙を有して設置された複数の結合具５と、複数の竪樋支持具１とを当接させる。作業者は、結合具５の被引掛け部５２と竪樋８との間の隙間５４に、竪樋支持具１の爪４２ａを挿入させ、突出部４３を挿入溝５３に嵌入させる。
【００３７】
ここで、支持部４は、竪樋８を着脱自在に把持する可動側把持部と、固定部２と一体に設けられ可動側把持部と連結される固定側把持部と、を備えた二個のハーフリング状としてもよい。
【００３８】
上記した構成の竪樋支持具１及び竪樋支持具１の設置方法では、検査用貫通孔６１に指向性を持った光を通過させることで、風の影響を受けずに複数の竪樋支持具１が上下方向に一列に設置されているかを確認できる。また、重力の影響を受けずに直進する光を用いるので、地面に対して鉛直な建物９の外壁だけでなく、地面に対して傾いた建物９の外壁に対して竪樋支持具１を設置する場合にも用いることができる。
【００３９】
次に、第二の実施形態について図５乃至図９に基づいて説明する。第二の実施形態は、第一の実施形態の変形例であり、第一の実施形態と同じ部分については同符号を付して説明を省略する。
【００４０】
なお、本実施形態の説明でも、建物９の外方を前方とし、建物９の内方を後方とし、建物９から竪樋８を視たときを基準として、左方向と右方向を定める。
【００４１】
竪樋支持具１は、本実施形態では、図８に示すように、建物９の外壁に固定される固定部３と、固定部３の前方に固定部３とは別体に設けられる支持部４と、を備える。
【００４２】
固定部３は、本実施形態では、支持部４と連結具７１により連結される連結部３１と、連結部３１から後方に向けて連設され建物９の外壁に固定される連設部３２と、を有する。連結具７１は、ピンや、ボルト及びナット、等が考えられるが、特に限定されない。
【００４３】
連結部３１は、本実施形態では、図５に示すように、正面視矩形状となっているが、形状は限定されない。連結部３１は、本実施形態では、図６（ａ）に示すように、連結具７１が挿通される固定側連結孔３１ａを有する。
【００４４】
連設部３２は、本実施形態では、平面視Ｌ字状となっているが、形状は限定されない。連設部３２は、本実施形態では、連結部３１の右側端から後方に向かって連設されているが、連設部３２が設けられる場所は限定されない。連設部３２の後側の端部には、固定部３を建物９の外壁に固定するための固定具７２が挿通される固定孔３２ａが設けられる。
【００４５】
支持部４の基部４１は、本実施形態では、図６に示すように、固定側連結孔３１ａと連通し連結具７１が挿通する支持側連結孔４１ｂを有する。基部４１に設けられる台座部４１ａは、本実施形態では、図６（ｂ）に示すように、矩形状となっているが、形状は限定されない。台座部４１ａは、本実施形態では、突出部４３の上側部と下側部との間に設けられる。台座部４１ａには、固定部３と支持部４とを連結するための連結具７１の頭部が当接する。
【００４６】
検査用貫通孔６１は、本実施形態では、図５乃至図７に示すように、基部４１の建物９から竪樋８を視たときの右側端部に設けられるが、検査用貫通孔６１が設けられる場所は限定されない。検査用貫通孔６１は、本実施形態の場合、支持部４が前後左右方向に幅を有しているので、支持部４に設けることができる。
【００４７】
検査用貫通孔６１は、本実施形態では、固定部３が薄肉であるので、固定部３に設けることは困難である。しかし、図９に示すように、固定部３の上端から突出し検査用貫通孔６１を有するフランジ状の検査部６が設けられてもよい。検査部６は、本実施形態では、薄肉の固定部３に設けられることが好ましいが、支持部４に設けられてもよい。従って、検査部６は、固定部３又は支持部４から突出し検査用貫通孔６１を有するものである。検査部６は、他の実施形態の竪樋支持具１に設けられてもよく、薄肉で検査用貫通孔６１が設けられない部分に設けられるのが好ましい。なお、検査部６の形状はフランジ状でなくともよく、形状は限定されない。
【００４８】
上記した構成の竪樋支持具１及び竪樋支持具１の設置方法は、第一実施形態と同様である。作業者は、支持部４の支持側連結孔４１ｂと固定部３の固定側連結孔３１ａとに、連結具７１を挿入し、連結具７１を固定することにより、支持部４と固定部３を固定する。作業者は、挟持部と固定部３を固定した複数の竪樋支持具１を、全ての竪樋支持具１の検査用貫通孔６１に光が通過するように建物９の外壁に所定の間隙を有して設置する。
【００４９】
作業者は、竪樋８に所定の間隙を有して設置された複数の結合具５と、複数の竪樋支持具１とを当接させる。作業者は、結合具５の被引掛け部５２と竪樋８との間の隙間５４に、竪樋支持具１の爪４２ａを挿入させ、突出部４３を挿入溝５３に嵌入させる。
【００５０】
ここで、支持部４は、竪樋８を着脱自在に把持する可動側把持部と、固定部３と連結具７１により連結され可動側把持部とも連結される固定側把持部と、を備えた二個のハーフリング状としてもよい。
【００５１】
上記した構成の竪樋支持具１及び竪樋支持具１の設置方法では、検査用貫通孔６１に指向性を持った光を通過させることで、風の影響を受けずに複数の竪樋支持具１が上下方向に一列に設置されているかを確認できる。また、重力の影響を受けずに直進する光を用いるので、地面に対して鉛直な建物９の外壁だけでなく、地面に対して傾いた建物９の外壁に対して竪樋支持具１を設置する場合にも用いることができる。
【００５２】
また、検査用貫通孔６１が設けられない薄肉の部分にも検査部６を設けることにより、光を用いた竪樋支持具１のずれの確認を行うことができる。
【００５３】
各実施形態の竪樋支持具１及び竪樋支持具１の設置方法は、以下のような構成となっている。
【００５４】
竪樋支持具１は、建物９の外壁に固定される固定部２、３と、固定部２、３の建物９の外方に設けられ竪樋８を支持する支持部４と、を備える。竪樋支持具１は、固定部２、３又は支持部４に設けられ上下方向に貫通し指向性を持った光が通過する検査用貫通孔６１を備えることを特徴とする。
【００５５】
これにより、検査用貫通孔６１に指向性を持った光を通過させることで、風の影響を受けずに複数の竪樋支持具１が上下方向に一列に設置されているかを確認できる。また、重力の影響を受けずに直進する光を用いるので、地面に対して鉛直な建物９の外壁だけでなく、地面に対して傾いた建物９の外壁に対して竪樋支持具１を設置する場合にも用いることができる。
【００５６】
また、竪樋支持具１は、固定部２、３又は支持部４から突出し前記検査用貫通孔６１を有する、検査部６を備える、ことが好ましい。
【００５７】
これにより、検査用貫通孔６１が設けられない薄肉の部分にも検査部６を設けることにより、光を用いた竪樋支持具１のずれの確認を行うことができる。
【００５８】
竪樋支持具１の設置方法は、竪樋支持具１を建物９の外壁に設置し、次の竪樋支持具１を建物９の外壁に設置するとき、先の竪樋支持具１の検査用貫通孔６１から指向性を持った光を通過させる。竪樋支持具１の設置方法は、次の竪樋支持具１の検査用貫通孔６１に光が通過するように次の竪樋支持具１を設置する。竪樋支持具１の設置方法は、複数の竪樋支持具１の全ての検査用貫通孔６１を光が通過するように、複数の竪樋支持具１が建物９の外壁に設置されることを特徴とする。
【００５９】
これにより、建物９の外壁に設置される複数の竪樋支持具１が、前後左右にずれることなく、上下方向に一列に設置することができる。
【符号の説明】
【００６０】
１    竪樋支持具
２    固定部
２１  挿通孔
３    固定部
４    支持部
４１  基部
４２  引掛け部
４３  突出部
４３ａ  基台部
４３ｂ  先端部
５    結合具
６    検査部
６１  検査用貫通孔
８    竪樋
９    建物
【図１】
2015094152.tif 000003
【図２】
2015094152.tif 000004
【図３】
2015094152.tif 000005
【図４】
2015094152.tif 000006
【図５】
2015094152.tif 000007
【図６】
2015094152.tif 000008
【図７】
2015094152.tif 000009
【図８】
2015094152.tif 000010
【図９】
2015094152.tif 000011